(57)【要約】【課題】      ズボンの製作において特別なアイロン操作や特別な裏地を使用せずに、ヒップアップして見えるズボン、およびズボンの製作に適したストレッチ織物を提供する。【解決手段】  緯糸方向の伸び抵抗力が強い領域Ａと緯糸方向の伸び抵抗力が強い領域Ａの伸び抵抗力よりも弱い領域Ｂとを含む緯二重織のストレッチ織物を表地に使用した、少なくともズボンの横方向に伸縮性を有するズボンであって、表地の後身頃３における大腿部の箇所の横方向の伸び抵抗力が表地の裾付近の箇所の横方向の伸び抵抗力よりも強いことを特徴とする伸縮性を有するズボンである。【選択図】    図５
2011136066.tif 000002
【特許請求の範囲】
【請求項１】
緯糸方向の伸び抵抗力が強い領域と緯糸方向の伸び抵抗力が前記強い領域の伸び抵抗力よりも弱い領域とを含む緯二重織物を表地に使用した、少なくともズボンの横方向に伸縮性を有するズボンであって、前記表地の後身頃における大腿部の箇所の横方向の伸び抵抗力が前記表地の裾付近の箇所の横方向の伸び抵抗力よりも強いことを特徴とする伸縮性を有するズボン。
【請求項２】
前記後身頃における大腿部の箇所と同様に、前記表地の前身頃における大腿部の箇所の横方向の伸び抵抗力が前記裾付近の箇所の横方向の伸び抵抗力よりも強いことを特徴とする請求項１記載の伸縮性を有するズボン。
【請求項３】
前記後身頃における大腿部の箇所と同様に、前記表地の前身頃における腹部の箇所の横方向の伸び抵抗力が前記裾付近の箇所の横方向の伸び抵抗力よりも強いことを特徴とする請求項１記載の伸縮性を有するズボン。
【請求項４】
前記後身頃または前身頃における横方向の伸び抵抗力が強い箇所に隣接して、横方向の伸び抵抗力が前記強い箇所よりも弱く且つ前記裾付近の箇所の横方向の伸び抵抗力よりも強い中間の伸び抵抗力を有する箇所が存在することを特徴とする請求項１〜３の何れか１項に記載の伸縮性を有するズボン。
【請求項５】
前記後身頃における横方向の伸び抵抗力が強い箇所の上端部または中間の伸び抵抗力を有する箇所の上端部がズボンの小股十字点または股上に位置していることを特徴とする請求項１〜４の何れか１項に記載の伸縮性を有するズボン。
【請求項６】
前記緯二重織物である表地の表面においてはズボンにおける横方向の伸び抵抗力の異なる箇所でも同じ糸使いであり、前記表地の裏面においてはズボンにおける横方向の伸び抵抗力の異なる箇所では異なった糸使いであって、緯糸における弾性糸またはポリトリメチレンテレフタレートを含む複合糸とその他の糸との割合が横方向の伸び抵抗力の異なる箇所では異なっていることを特徴とする請求項１〜５の何れか１項に記載の伸縮性を有するズボン。
【請求項７】
緯糸が弾性糸またはポリトリメチレンテレフタレートを含む複合糸とその他の糸とから構成された少なくとも緯糸方向に伸縮性を有するストレッチ織物であり、該ストレッチ織物は緯二重織物であって、緯糸方向の伸び抵抗力が強い領域と緯糸方向の伸び抵抗力が前記強い領域の伸び抵抗力よりも弱い領域とが経糸方向に繰り返されていることを特徴とするストレッチ織物。
【請求項８】
緯糸が弾性糸またはポリトリメチレンテレフタレートを含む複合糸とその他の糸とから構成された少なくとも緯糸方向に伸縮性を有するストレッチ織物であり、該ストレッチ織物は緯二重織物であって、緯糸方向の伸び抵抗力が強い領域と、緯糸方向の伸び抵抗力が前記強い領域の伸び抵抗力よりも弱い領域と、緯糸方向の伸び抵抗力が前記強い領域の伸び抵抗力と前記弱い領域の伸び抵抗力との間の強さであり且つ前記強い領域と前記弱い領域との間に位置する中間領域とからなり、前記強い領域、前記中間領および前記弱い領域が経糸方向に繰り返されていることを特徴とするストレッチ織物。
【請求項９】
経糸方向の１リピート毎に目印が設けられており、該目印と目印の間の１リピートにおいては１つの前記強い領域とその両側に配置された前記弱い領域が存在することを特徴とする請求項７記載のストレッチ織物。
【請求項１０】
経糸方向の１リピート毎に目印が設けられており、該目印と目印の間の１リピートにおいては１つの前記強い領域、その両側に配置された前記弱い領域および前記強い領域と前記弱い領域との間に配置された中間領域が存在することを特徴とする請求項８記載のストレッチ織物。
【請求項１１】
前記目印は織組織、糸の色および耳部の織組織のうちの何れかを変えたものであることを特徴とする請求項９または請求項１０に記載のストレッチ織物。
【請求項１２】
前記緯二重織物において表面における緯糸の糸使いは前記各領域に拘らず同じであり、裏面における緯糸の糸使いは前記各領域により異なっており、弾性糸またはポリトリメチレンテレフタレートを含む複合糸とその他の糸との割合を変えて前記各領域における伸び抵抗力を異ならせていることを特徴とする請求項７〜１１の何れかに１項に記載のストレッチ織物。
【発明の詳細な説明】
【技術分野】
【０００１】
本発明はヒップアップして見えるズボン（パンツ、スラックス）および特にこのようなズボンなどの製作に適したストレッチ織物に関するものである。
【背景技術】
【０００２】
通常のパターン（型紙）を使用した従来のズボンにおいては、図１（ａ）および（ｃ）に示すように、前身頃側には足の付け根の部分に、後身頃側にはヒップの下方部分に布地の余り（弛み）があり、皺が生じる傾向がある。特に、ヒップの下方部分に皺が生じると、ヒップが下がっているように見える。【０００３】
本願出願人は先に、特許第３８５１６３２号公報（特許文献１）において、特別なパターンを用いて裁断し、後身頃生地をアイロン操作で伸ばすことによりヒップの下方部分に皺が生じないようなズボンを提案しており、これらのズボンは市販され、好評である。【０００４】
また、従来、ワンウェイストレッチまたはツーウェイストレッチと称するストレッチ織物（通常、表示組成としてポリウレタンを含み、ポリウレタンが２〜５％とタグなどに表示されている）を使用したズボンが市販されている。これらのズボンは細身であるが、生地が伸縮するので、立ったり座ったりしても楽である。しかし、これらのズボンは身体に均一にフィットするが、体形補正効果がないので、体形がそのまま外観に現れてしまう。特に、ヒップはその形が見えてしまい、ヒップが下がっているとそれが外観から分かってしまう。【０００５】
このため、女性の場合は、ガードルを履いた状態でこのようなズボンを着用することが多い。しかし、締め付け力が強いガードルはヒップアップ効果も大きいが、窮屈である。一方、一般にソフトガードルと称するガードルでは、締め付け力が弱いので着用感はよいが、ヒップアップ効果が少ない。更に、ガードルをいちいち着用するのを煩わしく感じる人もいる。【０００６】
このような点を考慮して、ズボンの裏地にパワーネット等を使用してガードル機能を持たせたものが提案されている。例えば、特許第３５０９３０９号公報（特許文献２）、特許第３６０５８０８号公報（特許文献３）、特許第４３５６６４３号公報（特許文献４）等に開示されている。【０００７】
特開平１１−１８９９０６号公報（特許文献５）には、スポーツや農作業などにおいて伸縮性能に優れた衣服を得ることが提案されている。この特許文献６によれば、生地の横幅をズボンの丈よりも大きな寸法とし、縦方向の伸縮度合いが異なる複数の部分を横方向に配列して、横方向に裁断することにより、ヒップ付近は伸縮度合いが大きく、裾回りは伸縮度合いが小さいズボンを製作することが開示されている。
【先行技術文献】
【特許文献】
【０００８】
【特許文献１】特許第３８５１６３２号公報
【特許文献２】特許第３５０９３０９号公報
【特許文献３】特許第３６０５８０８号公報
【特許文献４】特許第４３５６６４３号公報
【特許文献５】特開平１１−１８９９０６号公報
【発明の概要】
【発明が解決しようとする課題】
【０００９】
特許文献１に開示されている技術では、ズボンの製作において後身頃生地の特定箇所を伸ばすアイロン操作が必要である。【００１０】
特許文献２〜４に開示されているようなズボンでは、パワーネット等を組合せた特別な裏地を使用することが必要であり、ズボンの製作に手間が掛かる。【００１１】
特許文献５に開示されているズボンは特別なパターンや特別な裏地を使用していない。しかし、特許文献５に開示されているズボンを実際に製造することは極めて困難である。すなわち、使用する生地が織物である場合、縦方向（経糸方向）の伸縮度合いが異なる部分Ａ〜Ｅが横方向（緯糸方向）に配列されていることになるが、このような織物は製織する際には経糸に張力が掛かっているので、伸縮度合いが異なっていても織ることが可能であるかもしれない。しかし、生機（織り上げたままの織物）の状態から精練工程、染色工程などの工程を経るうちに、織物が歪んで、曲がりくねった状態になってしまう。これは、精練工程、染色工程などでは経糸に殆ど張力が掛からず、そのため経糸の伸縮度合いに応じて経糸方向に縮みが生じ、織物の幅方向において左右均等に縮まないので（特許文献５の図１における左半分の部分Ａ〜Ｄは縮みが大きく、右半分の部分Ｅは縮みが小さい）、織物は平らにならず、うねった状態になってしまうからである。【００１２】
本発明は、ズボンの製作において特別なアイロン操作や特別な裏地を使用せずに、ヒップアップして見えるズボンを提供することを目的とする。【００１３】
また、本発明はこのようなズボンなどの製作に適したストレッチ織物であって、特許文献５に開示された織物のような問題がないストレッチ織物を提供することを目的とする。
【課題を解決するための手段】
【００１４】
本発明は、緯糸方向の伸び抵抗力が強い領域と緯糸方向の伸び抵抗力が前記強い領域の伸び抵抗力よりも弱い領域とを含む緯二重織物を表地に使用した、少なくともズボンの横方向に伸縮性を有するズボンであって、前記表地の後身頃における大腿部の箇所の横方向の伸び抵抗力が前記表地の裾付近の箇所の横方向の伸び抵抗力よりも強いことを特徴とする伸縮性を有するズボンにより前記目的を達成する。【００１５】
本発明のズボンにおいて、後身頃における大腿部の箇所と同様に、前記表地の前身頃における大腿部の箇所または腹部の箇所の横方向の伸び抵抗力が前記裾付近の箇所の横方向の伸び抵抗力よりも強いことが好ましい。【００１６】
更に、後身頃または前身頃における横方向の伸び抵抗力が強い箇所に隣接して、横方向の伸び抵抗力が前記強い箇所よりも弱く且つ前記裾付近の箇所の横方向の伸び抵抗力よりも強い中間の伸び抵抗力を有する箇所が存在することが好ましい。【００１７】
本発明のズボンにおいて、後身頃における横方向の伸び抵抗力が強い箇所の上端部または中間の伸び抵抗力を有する箇所の上端部がズボンの小股十字点または股上に位置していることが好ましい。【００１８】
本発明の伸縮性を有するズボンは、緯二重織物である表地の表面においてはズボンにおける横方向の伸び抵抗力の異なる箇所でも同じ糸使いであり、前記表地の裏面においてはズボンにおける横方向の伸び抵抗力の異なる箇所では異なった糸使いであって、緯糸における弾性糸またはポリトリメチレンテレフタレートを含む複合糸とその他の糸との割合が横方向の伸び抵抗力の異なる箇所では異なっていることが好ましい。【００１９】
また、本発明は、緯糸が弾性糸またはポリトリメチレンテレフタレートを含む複合糸とその他の糸とから構成された少なくとも緯糸方向に伸縮性を有するストレッチ織物であり、該ストレッチ織物は緯二重織物であって、緯糸方向の伸び抵抗力が強い領域と緯糸方向の伸び抵抗力が前記強い領域の伸び抵抗力よりも弱い領域とが経糸方向に繰り返されていることを特徴とするストレッチ織物により前記目的を達成する。【００２０】
本発明のストレッチ織物は、前記ストレッチ織物において、緯糸方向の伸び抵抗力が強い領域と緯糸方向の伸び抵抗力が前記強い領域の伸び抵抗力よりも弱い領域との間に、緯糸方向の伸び抵抗力が前記強い領域の伸び抵抗力と前記弱い領域の伸び抵抗力との間の強さの中間領域を設けたものであってもよい。【００２１】
本発明のストレッチ織物においては、経糸方向の１リピート毎に目印が設けられていることが好ましい。目印と目印の間の１リピートにおいては、１つの前記強い領域とその両側に配置された２つの弱い領域を含むか、更に両領域の間に前記中間領域を含んでいる。【００２２】
前記目印は織組織、糸の色および耳部の織組織のうちの何れかをを変えたものであることが好ましい。【００２３】
本発明のストレッチ織物は、緯二重織物の表面における緯糸の糸使いは前記各領域に拘らず同じであり、裏面における緯糸の糸使いは前記各領域により異なっており、弾性糸またはポリトリメチレンテレフタレートを含む複合糸とその他の糸との割合を変えて前記各領域における伸び抵抗力を異ならせていることが好ましい。
【発明の効果】
【００２４】
本発明のズボンは、ズボンの横方向に伸縮性を有するズボンであるので、身体にフィットするサイズのものを着用しても窮屈感が生じない。しかも、身体にフィットするサイズのものを着用すると、後身頃における大腿部の箇所の横方向の伸び抵抗力（すなわち、伸びに対する抵抗力）が裾付近の箇所の横方向の伸び抵抗力に比較して強くしているので、弱い力では伸び難く、ズボンを着用した人の大腿部の後側を引き締める効果がある。そして、ガードルを着用する際と同様に、ズボンの横方向の伸び抵抗力が強い箇所よりも上にヒップを持ち上げるようにしてズボンを着用すれば、ヒップアップした状態になる。また、本発明のズボンにおいて、ヒップの下方部分に皺が殆ど生じないので、ヒップが下がっているように見えない。【００２５】
このように本発明によれば、ズボンの製作において特別なアイロン操作や特別な裏地を使用せずに、ヒップアップして見えるズボンを得ることができる。【００２６】
ズボンの前身頃における大腿部の箇所の横方向の伸び抵抗力が後身頃における大腿部の箇所と同様に強いものであると、大腿部の全周を引き締めることができ、特に内腿のたるみが外観からは見えなくなるという効果がある。【００２７】
ズボンの前身頃における腹部の箇所の横方向の伸び抵抗力が後身頃における大腿部の箇所と同様に強いものであると、腹部を引き締めることができる。【００２８】
また、横方向の伸び抵抗力が、強い箇所と弱い箇所とでの差が大きい場合は、両箇所を直接隣接させると、隣接箇所に膨らみや皺が生じることがあるので、このような場合は両箇所の間に中間の伸び抵抗力を有する箇所を存在させることにより、膨らみや皺をなくすることができる。差が小さい場合は、中間の伸び抵抗力を有する箇所がなくてもよい。【００２９】
本発明のズボンにおいて、後身頃における横方向の伸び抵抗力が強い箇所の上端部または中間の伸び抵抗力を有する箇所の上端部がズボンの小股十字点または股上に位置していると、より一層ヒップアップ効果がある。【００３０】
本発明の伸縮性を有するズボンによれば、緯二重織物である表地の表面においてはズボンにおける横方向の伸び抵抗力の異なる箇所でも同じ糸使いであり、前記表地の裏面においてはズボンにおける横方向の伸び抵抗力の異なる箇所では異なった糸使いであって、緯糸における弾性糸またはポリトリメチレンテレフタレートを含む複合糸とその他の糸との割合が横方向の伸び抵抗力の異なる箇所では異なっている。【００３１】
このように、本発明によれば、伸び抵抗力に応じて弾性糸またはポリトリメチレンテレフタレートを含む複合糸とその他の糸との割合を変えている。弾性糸またはポリトリメチレンテレフタレートを含む複合糸とその他の糸とでは染色性が異なるので、緯糸にこれら染色性の異なった糸を使用すると、色によっては横縞となって現れることがあり、伸び抵抗力の異なる箇所は異なる色合いとなり、色によっては明白な柄となって現れることがある。しかし、本発明では、使用する生地を緯二重織物として、表面を構成する緯糸と裏面を構成する緯糸のそれぞれ糸使いを別個に変えられるようにしているので、伸び抵抗力に拘らず全体的に同じ糸使いをした緯二重織物の面をズボンの表側とし、伸び抵抗力に応じて異なった糸使いをした面をズボンの裏側にすれば、ズボンの外面は伸び抵抗力に拘らず全体的に同じ色合いとなり、その外観を普通のズボンと同様にすることができる。【００３２】
本発明のストレッチ織物は、緯糸が弾性糸またはポリトリメチレンテレフタレートを含む複合糸とその他の糸とから構成された少なくとも緯糸方向に伸縮性を有するストレッチ織物であり、このストレッチ織物は緯二重織物であって、緯糸方向の伸び抵抗力が強い領域と緯糸方向の伸び抵抗力が前記強い領域の伸び抵抗力よりも弱い領域とが経糸方向に繰り返されていることを特徴とするものであり、このストレッチ織物により本発明の伸縮性を有するズボンを製作することができる。【００３３】
本発明のストレッチ織物において、緯糸方向の伸び抵抗力が強い領域と緯糸方向の伸び抵抗力が前記強い領域の伸び抵抗力よりも弱い領域との間に、緯糸方向の伸び抵抗力が前記強い領域の伸び抵抗力と前記弱い領域のよりも弱い領域の伸び抵抗力との間の強さの中間領域を設けた場合、横方向の伸び抵抗力について、強い領域と弱い領域との伸び抵抗力の差を大きくすることができる。【００３４】
本発明のストレッチ織物においては、経糸方向の１リピート毎に目印が設けられていることが好ましく、織物に目印を設けることにより、ズボンの各パーツの型入れを適切に行うことができる。
【図面の簡単な説明】
【００３５】
【図１】図１（ａ）は従来のズボンを着用した状態の正面図、図１（ｂ）は本発明のズボンを着用した状態の正面図、図１（ｃ）は従来のズボンを着用した状態の側面図、図１（ｄ）は本発明のズボンを着用した状態の側面図である。
【図２】図２（ａ）は本発明のストレッチ織物の一実施例における表面を示す平面図、図２（ｂ）はその裏面を示す平面図である。
【図３】本発明のストレッチ織物の一実施例における緯糸方向の伸び抵抗力を示すグラフである。
【図４】本発明のストレッチ織物に本発明のズボンの一実施例である婦人用長パンツのパーツを型入れした状態を示す平面図である。
【図５】図５（ａ）は図４に示したパーツを裁断して仕立てた本発明のズボンの正面図、図５（ｂ）はその背面図である。なお、説明のために、横方向の伸び抵抗力が強い箇所および中間の伸び抵抗力を有する箇所を斜線を施して示したが、表側には斜線を施したような柄は出ない。
【図６】本発明のズボンの別の実施例であるクロップト・パンツのパーツを型入れした状態を示す平面図である。
【図７】本発明のズボンの更に別の実施例のクロップト・パンツのパーツを型入れした状態を示す平面図である。
【図８】図８（ａ）は図７に示したパーツを裁断して仕立てた本発明のズボンの正面図、図８（ｂ）はその背面図である。なお、説明のために、横方向の伸び抵抗力が強い箇所および中間の伸び抵抗力を有する箇所を斜線を施して示したが、表側には斜線を施したような柄は出ない。
【発明を実施するための形態】
【００３６】
以下、図面に示した実施例に基づいて本発明を詳細に説明する。
【００３７】
本発明のズボンは、少なくともズボンの横方向に伸縮性を有するズボンであり、図２に示すような緯糸方向の伸び抵抗力が強い領域Ａと緯糸方向の伸び抵抗力が強い領域Ａの伸び抵抗力よりも弱い領域Ｂとを含む緯二重織物１を表地に使用して製作する。
【００３８】
本発明のズボンは表地の後身頃３（図５参照）における大腿部の箇所の横方向の伸び抵抗力が裾付近の箇所の横方向の伸び抵抗力よりも強くすることにより、ヒップアップして見えるようにしたものである。
【００３９】
本発明のズボンの製作に使用するストレッチ織物１は緯二重織物であり、緯糸が弾性糸またはポリトリメチレンテレフタレートを含む複合糸とその他の糸とから構成された少なくとも緯糸方向に伸縮性を有するストレッチ織物である。
【００４０】
図２において、本発明のストレッチ織物１は緯二重織物であれば、表面および裏面の織組織は特に限定されず、平織、朱子織、斜文織（綾織、ツイル）等の三原組織やその変化組織とすることができる。
【００４１】
また、本発明のストレッチ織物１は緯糸方向のみに伸縮性を有するワンウェイストレッチ織物でもよいし、経糸方向と緯糸方向の二方向に伸縮性を有するツーウェイストレッチ織物であってもよい。
【００４２】
本発明に使用する弾性糸は弾性繊維をそのまま糸としたベアヤーンでもよいが、延伸した弾性繊維を他の繊維で被覆した被覆糸（カバードヤーン、コアスパンヤーン、合撚糸、複合仮撚糸など）であることが好ましい。弾性繊維としては、ポリウレタン系弾性繊維、ポリエステル系弾性繊維などの弾性合成繊維糸が好ましい。天然ゴムや合成ゴム等のゴム繊維糸も使用可能である。弾性繊維を被覆する他の繊維は天然繊維でも合成繊維でもよく、カバードヤーンにおける被覆繊維は捲縮加工糸でも捲縮加工していないストレートな糸でもよい。
【００４３】
本発明に使用するポリトリメチレンテレフタレートを含む複合糸はポリトリメチレンテレフタレートからなる重合体とポリエチレンテレフタレートからなる重合体をサイドバイサイド型または偏心芯鞘型に貼り合わせた複合繊維からなる糸である。この糸は潜在捲縮発現性を有し、熱処理により捲縮が発現するか、或いは熱処理前より微細な捲縮が発現する能力を有するものであり、通常の仮撚加工糸とは区別されるものである。ポリトリメチレンテレフタレートを含む複合糸は優れたストレッチ性（伸長性）とストレッチバック性（伸長回復性）を有しており、特に、通常の仮撚加工糸に比較してストレッチバック性が大きなものである。
【００４４】
弾性糸やポリトリメチレンテレフタレートを含む複合糸以外の、緯糸に使用されるその他の糸としては、仮撚加工糸等の捲縮加工糸が好ましい。
【００４５】
本発明において、経糸は素材は特に限定されず、ワンウェイストレッチ織物とした場合は綿、毛、麻等の天然繊維からなる糸でも、捲縮加工糸でもよい。ツーウェイストレッチ織物の場合は、経糸にも弾性糸またはポリトリメチレンテレフタレートを含む複合糸を使用すればよい。
【００４６】
図２に示した本発明のストレッチ織物１の一実施例においては、図２（ｂ）に示すように、緯糸方向の伸び抵抗力が強い領域Ａと、緯糸方向の伸び抵抗力が強い領域Ａの伸び抵抗力よりも弱い領域Ｂと、緯糸方向の伸び抵抗力が強い領域Ａの伸び抵抗力と弱い領域Ｂのの伸び抵抗力との間の強さの中間領域Ｃがあり、強い領域Ａの両側に中間領域Ｃが配置され、これらの領域Ａ、Ｂ、Ｃが経糸方向に繰り返されている。
【００４７】
これらの領域Ａ、Ｂ、Ｃの繰り返しである１リピート毎に目印２が設けられている。目印２はズボンの各パーツの型入れを適切に行い易くするためのものであり、織組織、糸の色または耳部の織組織を変えて、目印とすることができる。
【００４８】
なお、図２に示した実施例では３種類の領域Ａ、Ｂ、Ｃがあったが、別の実施例としては、緯糸方向の伸び抵抗力が強領域と弱領域であまり差がない場合は中間領域を配置しなくてもよい。逆に、緯糸方向の伸び抵抗力が強領域と弱領域で差が大きな場合は、緯糸方向の伸び抵抗力が異なる複数の中間領域Ｃ、Ｃ′、Ｃ”（図示せず）を配置してもよい。
【００４９】
図２（ａ）に示すように、本発明の緯二重織物１の表面側では、緯糸の糸使いは各領域Ａ、Ｂ、Ｃに拘らず同じである。これに対して、緯二重織物の裏面側では、緯糸の糸使いは各領域Ａ、Ｂ、Ｃによって異なっており、各領域Ａ、Ｂ、Ｃにおける緯糸方向の伸び抵抗力を異ならせている。
【００５０】
各領域Ａ、Ｂ、Ｃにおける緯糸方向の伸び抵抗力を異ならせるには、次のような方法がある。
【００５１】
緯二重ストレッチ織物１の裏面側の緯糸として使用する糸を糸の素材および太さを含めて２種類とした場合（１つは弾性糸またはポリトリメチレンテレフタレートを含む複合糸、他はその他の糸）は、各領域Ａ、Ｂ、Ｃにおける緯糸を弾性糸またはポリトリメチレンテレフタレートを含む複合糸とその他の糸との割合を変えて、各領域Ａ、Ｂ、Ｃにおける緯糸方向の伸び抵抗力を異ならせる。
【００５２】
緯二重ストレッチ織物１の裏面側の緯糸として使用する糸を糸の素材および太さを含めて３種類以上とする。例えば、伸び抵抗力が強い領域Ａと弱い領域Ｃでは芯糸の太さ（繊度）が異なる弾性糸を使用する。繊度が大きい方が伸びに対する抵抗力が大きい。併せて、その他の糸との割合を変えてもよい。
【００５３】
各領域Ａ、Ｂ、Ｃにおける緯糸方向の伸び抵抗力は、ＪＩＳ  Ｌ  １０９６（１９９９）の８．１４の伸縮織物の伸長率の測定方法に準拠して調べることができる。ＪＩＳによる通常の伸長率は１４．７Ｎ（１．５Ｋｇ）の荷重を加えた時の伸長率であり、この荷重時にどれだけ伸長するかを問題とするものである。しかし、本発明ではズボンを着用した際の伸びに対する抵抗力（すなわち、伸び難さ）を問題とするものである。腰回り（すなわち、腰囲、ヒップ）は人体の腰の最も太い位置での周囲寸法をであるが、立っている状態と座った状態とでの腰回りの差は、体形によって異なるが、せいぜい３〜１０ｃｍである。すなわち、身体にフィットしたズボンを着用している場合、ズボンの生地が横方向に伸ばされる長さは、ヒップラインの位置でせいぜい３〜１０ｃｍである。
【００５４】
従って、本発明の緯糸方向の伸び抵抗力を調べるには、各領域Ａ、Ｂ、Ｃから緯糸方向に長い所定の大きさの試験片（例えば、長さ３０ｃｍ、幅３ｃｍ）をそれぞれ用意し、自記記録装置付定速伸長形引張試験機などを使用して、所定のつかみ間隔（例えば、２０ｃｍ）で試験片を定速で引張り、伸びた長さが２０ｍｍ〜５０ｍｍの間の或る箇所における力（荷重）を測定する。これにより、例えばつかみ間隔２０ｃｍで試験片を４０ｍｍ伸長するのにどれだけの力が必要か、すなわち伸びに対する抵抗力がどれだけであるかが分かる。このようにして、各領域Ａ、Ｂ、Ｃの試験片の測定値を比較すると、領域Ａ＞領域Ｃ＞領域Ｂの順番になることが分かる。
【００５５】
図３は本発明のストレッチ織物の一実施例における各領域Ａ、Ｂ、Ｃから試験片（長さ３０ｃｍ、幅３ｃｍ）を用意して、つかみ間隔を２０ｃｍとし、３０±２ｃｍ／ｍｉｎの速度で試験片を引張って、緯糸方向の伸び抵抗力を測定したグラフを示すものである。縦軸は引張力（図３では試験力として表示されている）をニュートン（Ｎ）で示し、横軸は伸びた長さ（図３ではストロークとして表示されている）をｍｍで示した。
【００５６】
この実施例のストレッチ織物においては、次のような糸使いをした。経糸は４４ｄｔｅｘのポリウレタンの芯糸に１６７ｄｔｅｘのポリエステル仮撚加工糸を巻き付けたカバードヤーンである。二重織物の表側の緯糸は、領域Ａ、Ｂ、Ｃに拘らず全て同じであり、すなわち経糸と同じく、４４ｄｔｅｘのポリウレタンの芯糸に１６７ｄｔｅｘのポリエステル仮撚加工糸を巻き付けたカバードヤーンである。二重織物の裏側の緯糸は、１６７ｄｔｅｘのポリトリメチレンテレフタレートを含む複合糸と、その他の糸として８４ｄｔｅｘのポリエステル仮撚加工糸との２種類を使用した。各領域Ａ、Ｂ、Ｃにおけるフィッティと仮撚加工糸との割合は、緯糸方向の伸び抵抗力が強い領域Ａでは２０：１、緯糸方向の伸び抵抗力が弱い領域Ｂでは１：２０、中間領域Ｃでは５：５とした。
【００５７】
図３において、符号ａで示した線は伸び抵抗力の強い領域Ａの伸びた長さと引張力の関係を示し、符号ｂで示した線は伸び抵抗力の弱い領域Ｂの伸びた長さと引張力の関係を示し、符号ｃで示した線は伸び抵抗力が両者の間の中間領域Ｃの伸びた長さと引張力の関係を示している。例えば、伸びた長さ（ストローク）が４２ｍｍの箇所では、強い領域Ａと弱い領域Ｂとではこの実施例の場合は３Ｎ程度の伸び抵抗力の差があった。
【００５８】
図４は本発明のストレッチ織物に本発明のズボンの一実施例である婦人用長パンツのパーツを型入れした状態を示す平面図である。
【００５９】
この実施例のストレッチ織物は幅が１１８ｃｍ、１リピートの長さ（経糸方向の長さ）が１２１ｃｍで、１リピート中に、６７ｃｍの弱い領域Ｂ、４ｃｍの中間領域Ｃ、２３ｃｍの強い領域Ａ、４ｃｍの中間領域Ｃおよび２３ｃｍの弱い領域Ｂがあり、これが繰り返されている。なお、本発明においてはストレッチ織物の幅やこれら各領域Ａ、Ｂ、Ｃの長さはこの実施例に説明したものに限定されない。
【００６０】
図４において、各領域Ａ、Ｂ、Ｃの位置を示す為に図２（ｂ）と同様に領域ＡおよびＣに斜線を施して、型入れした状態を示しているが、実際に型入れする場合は織物の表面または裏面のいずれでもよい。
【００６１】
図４の実施例では、３リピートで股下８８ｃｍのズボンのパーツを２人分型入れをした状態を示しており、左右２組の後身頃３と左右２組の前身頃４とが配置され、後身頃３および前身頃４の隙間や余白の箇所にポケットやウエストベルトなどが配置されている。この実施例では図４に示すように、伸び抵抗力の強い領域Ａは後身頃３および前身頃４において大腿部の箇所に位置するように型入れされている。後身頃３の強い領域Ａの上端部は小股十字点（すなわち、後身頃３の尻ぐり線３１と内股線３２、前身頃４の股ぐり線４１と内股線４２が交差する点で、ズボンの股部で十字状に縫目が交差している箇所）に位置している。なお、強い領域Ａの上端部は小股十字点から股上側または股下側にずれていてもよい。強い領域Ａが股下側にずれた場合は中間領域Ｃの上端部が小股十字点または股上に位置していることが好ましい。
【００６２】
図４に示したパターンではズボンの丈方向（長さ方向）は織物１の経糸方向であり、ズボンの横方向は織物１の緯糸方向である。図４に示したパターンで製作したズボンを図５に示し、それを着用した状態を図１（ｂ）および（ｄ）に示した。図５においては、説明のために、横方向の伸び抵抗力が強い箇所Ａおよび中間の伸び抵抗力を有する箇所Ｃは斜線を施して示したが、表側には斜線を施したような柄は出ない。図５（ａ）および図５（ｂ）に示すように、横方向の伸び抵抗力が強い箇所Ａはズボンの前身頃４および後身頃３において大腿部の箇所に配置されているので、図１（ｂ）および（ｄ）に示すように、このズボンはヒップアップ効果と内腿を引き締める効果を奏する。
【００６３】
図６は前述したストレッチ織物と同じものを使用して、４リピートで股下５６ｃｍのクロップト・パンツ（裾が途中で切り落とされたような形になっているズボンのこと）のパーツを３人分型入れした状態を示している。左右３組の後身頃３と左右３組の前身頃４とが配置され、後身頃３および前身頃４の隙間や余白の箇所にポケットやウエストベルトなどが配置されている。この実施例のクロップト・パンツは、図４に示した実施例と同様に、伸び抵抗力の強い領域Ａは後身頃３および前身頃４において大腿部の箇所に位置するように型入れされている。
【００６４】
図７は、図６と同様に前述したストレッチ織物と同じものを使用して、４リピートで股下５６ｃｍのクロップト・パンツのパーツを３人分型入した状態の別の実施例であり、左右３組の後身頃３と左右３組の前身頃４とが配置され、後身頃３および前身頃４の隙間や余白の箇所にポケットやウエストベルトが配置されている。この実施例では、伸び抵抗力の強い領域Ａは後身頃３においては大腿部の箇所に位置するように型入れされ、前身頃４においては腹部の箇所に位置するように型入れされている。
【００６５】
図７に示したパターンで製作したクロップト・パンツを図８に示した（なお、図５と同様に説明のために、横方向の伸び抵抗力が強い箇所Ａおよび中間の伸び抵抗力を有する箇所Ｃは斜線を施して示した）。図８に示すように、この実施例のズボンでは、ヒップアップ効果だけではなく、腹部に横方向の伸び抵抗力が強い箇所Ａがあるので、ズボンを着用することにより、腹部を引き締める効果がある。
【００６６】
本発明のズボンにおいては、後身頃３および前身頃４における横方向の伸び抵抗力が強い箇所Ａは図示した実施例に限定されない。例えば、後身頃３においては横方向の伸び抵抗力が強い箇所Ａが小股十字点より少し下方の大腿部から股上の上方まで配置されていてもよく、また、前身頃４においては横方向の伸び抵抗力が強い箇所Ａを膝の箇所に配置してもよい。強い箇所Ａを膝の箇所に配置した場合は、ズボンを着用した状態で繰り返し膝の曲げ伸ばしが行われても、ズボンの膝の箇所が膨らんだ状態、いわゆる膝が出た状態、になり難い。
【００６７】
また、本発明においてはストレッチ織物の幅や１リピートの長さおよび各領域Ａ、Ｂ、Ｃの長さは図４に関して説明した実施例に限定されず、ストレッチ織物の幅や１リピートの長さ等を変えたり、或いは製作するズボンの長さを変えたりすれば、それに従い型入れの状態を変る。
【符号の説明】
【００６８】
１  ストレッチ織物
２  目印
３  後身頃
４  前身頃
Ａ  緯糸方向の伸び抵抗力が強い領域
Ｂ  緯糸方向の伸び抵抗力が弱い領域
Ｃ  緯糸方向の伸び抵抗力が中間である領域
ａ  伸び抵抗力の強い領域Ａの伸びた長さと引張力の関係を示す線
ｂ  伸び抵抗力の弱い領域Ｂの伸びた長さと引張力の関係を示す線
ｃ  伸び抵抗力が両者の間の中間領域Ｃの伸びた長さと引張力の関係を示す線
【図１】
2011136066.tif 000003
【図２】
2011136066.tif 000004
【図３】
2011136066.tif 000005
【図４】
2011136066.tif 000006
【図５】
2011136066.tif 000007
【図６】
2011136066.tif 000008
【図７】
2011136066.tif 000009
【図８】
2011136066.tif 000010
【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
緯糸方向の伸び抵抗力が強い領域と緯糸方向の伸び抵抗力が前記強い領域の伸び抵抗力よりも弱い領域とを含む緯二重織物を表地に使用した、少なくともズボンの横方向に伸縮性を有するズボンであって、前記表地の後身頃における大腿部の箇所の横方向の伸び抵抗力が前記表地の裾付近の箇所の横方向の伸び抵抗力よりも強く、前記緯二重織物である表地の表面においてはズボンにおける横方向の伸び抵抗力の異なる箇所でも同じ糸使いであり、前記表地の裏面においてはズボンにおける横方向の伸び抵抗力の異なる箇所では異なった糸使いであって、緯糸における弾性糸またはポリトリメチレンテレフタレートを含む複合糸とその他の糸との割合が横方向の伸び抵抗力の異なる箇所では異なっていることを特徴とする伸縮性を有するズボン。
【請求項２】
前記後身頃における大腿部の箇所と同様に、前記表地の前身頃における大腿部の箇所の横方向の伸び抵抗力が前記裾付近の箇所の横方向の伸び抵抗力よりも強いことを特徴とする請求項１記載の伸縮性を有するズボン。
【請求項３】
前記後身頃における大腿部の箇所と同様に、前記表地の前身頃における腹部の箇所の横方向の伸び抵抗力が前記裾付近の箇所の横方向の伸び抵抗力よりも強いことを特徴とする請求項１記載の伸縮性を有するズボン。
【請求項４】
前記後身頃または前身頃における横方向の伸び抵抗力が強い箇所に隣接して、横方向の伸び抵抗力が前記強い箇所よりも弱く且つ前記裾付近の箇所の横方向の伸び抵抗力よりも強い中間の伸び抵抗力を有する箇所が存在することを特徴とする請求項１〜３の何れか１項に記載の伸縮性を有するズボン。
【請求項５】
前記後身頃における横方向の伸び抵抗力が強い箇所の上端部または中間の伸び抵抗力を有する箇所の上端部がズボンの小股十字点または股上に位置していることを特徴とする請求項１〜４の何れか１項に記載の伸縮性を有するズボン。
【請求項６】
緯糸が弾性糸またはポリトリメチレンテレフタレートを含む複合糸とその他の糸とから構成された少なくとも緯糸方向に伸縮性を有するストレッチ織物であり、該ストレッチ織物は緯二重織物であって、緯糸方向の伸び抵抗力が強い領域と緯糸方向の伸び抵抗力が前記強い領域の伸び抵抗力よりも弱い領域とが経糸方向に繰り返されており、前記緯二重織物において表面における緯糸の糸使いは前記各領域に拘らず同じであり、裏面における緯糸の糸使いは前記各領域により異なっており、弾性糸またはポリトリメチレンテレフタレートを含む複合糸とその他の糸との割合を変えて前記各領域における伸び抵抗力を異ならせていることを特徴とするストレッチ織物。
【請求項７】
緯糸が弾性糸またはポリトリメチレンテレフタレートを含む複合糸とその他の糸とから構成された少なくとも緯糸方向に伸縮性を有するストレッチ織物であり、該ストレッチ織物は緯二重織物であって、緯糸方向の伸び抵抗力が強い領域と、緯糸方向の伸び抵抗力が前記強い領域の伸び抵抗力よりも弱い領域と、緯糸方向の伸び抵抗力が前記強い領域の伸び抵抗力と前記弱い領域の伸び抵抗力との間の強さであり且つ前記強い領域と前記弱い領域との間に位置する中間領域とからなり、前記強い領域、前記中間領および前記弱い領域が経糸方向に繰り返されており、前記緯二重織物において表面における緯糸の糸使いは前記各領域に拘らず同じであり、裏面における緯糸の糸使いは前記各領域により異なっており、弾性糸またはポリトリメチレンテレフタレートを含む複合糸とその他の糸との割合を変えて前記各領域における伸び抵抗力を異ならせていることを特徴とするストレッチ織物。
【請求項８】
経糸方向の１リピート毎に目印が設けられており、該目印と目印の間の１リピートにおいては１つの前記強い領域とその両側に配置された前記弱い領域が存在することを特徴とする請求項６記載のストレッチ織物。
【請求項９】
経糸方向の１リピート毎に目印が設けられており、該目印と目印の間の１リピートにおいては１つの前記強い領域、その両側に配置された前記弱い領域および前記強い領域と前記弱い領域との間に配置された中間領域が存在することを特徴とする請求項７記載のストレッチ織物。
【請求項１０】
前記目印は織組織、糸の色および耳部の織組織のうちの何れかを変えたものであることを特徴とする請求項８または請求項９に記載のストレッチ織物。
【国際調査報告】
2011136066.tif 000011
2011136066.tif 000012
2011136066.tif 000013
2011136066.tif 000014
2011136066.tif 000015